(57)【要約】      （修正有）【課題】インターホン機器との間で非接触による通信を行い必要な情報の送受信が可能な外部通信機器を適用し、その送受信の動作に電気的なアイソレーションを持たせて当該動作の精度を高める。【解決手段】子機発光部１６が有する発光機能により第１の外部通信機器３ａで受光機能を有する機器受光部３０との間で非接触による通信を行い、その通信に電気的なアイソレーションを持たせることができる第１のインターホン子機１ａによれば、第１の子機制御部１７ａで生成される当該子機（自子機１ａ）又は第２のインターホン親機２ａの稼動状況データ等の制御データを子機発光部１６から送信して機器受光部３０で受信させることができる。【選択図】図１
2015126317.tif 000002
【特許請求の範囲】
【請求項１】
来訪者が在室者を呼出して通話を行うインターホン子機と、前記インターホン子機からの呼出しに前記在室者が応答して前記来訪者との間で通話を行うインターホン親機とを有するインターホンシステムであって、
前記インターホン子機は、当該子機又は前記インターホン親機の稼動状況データ等の制御データを生成する子機制御部と、夜間照明や警報表示等の照明機能と前記子機制御部で生成された前記制御データを非接触で外部通信機器に送信する発光機能を有する子機発光部とを備え、
前記外部通信機器は、前記インターホン子機の前記子機発光部から送信された前記制御データを受信する受光機能を有する機器受光部を備えることを特徴とするインターホンシステム。
【請求項２】
来訪者が在室者を呼出して通話を行うインターホン子機と、前記インターホン子機からの呼出しに前記在室者が応答して前記来訪者との間で通話を行うインターホン親機と、前記インターホン子機との間で通信が可能な外部通信機器とを有するインターホンシステムであって、
前記外部通信機器は、前記インターホン子機用又は前記インターホン親機用の制御データを非接触で前記インターホン子機に送信する発光機能を有する機器発光部を備え、
前記インターホン子機は、前記来訪者の映像を撮像する撮像機能とともに形成され前記外部通信機器の前記機器発光部から送信された前記制御データを受信する受光機能を有する子機受光部を備えることを特徴とするインターホンシステム。
【請求項３】
前記インターホン子機は、前記子機受光部で前記制御データが受信されたことを示す確認データを生成する子機制御部と、夜間照明や警報表示等の照明機能と前記子機制御部で生成された前記確認データを非接触で前記外部通信機器に送信する発光機能を有する子機発光部とを備え、
前記外部通信機器は、前記インターホン子機の前記子機発光部から送信された前記確認データを受信する受光機能を有する機器受光部を備えることを特徴とする請求項２記載のインターホンシステム。
【発明の詳細な説明】
【技術分野】
【０００１】
本発明は、インターホンシステムに係り、特に、インターホン機器との間で非接触による通信を行い必要な情報（データ）の送受信が可能な外部通信機器を有するインターホンシステムに関する。
【背景技術】
【０００２】
従来から、この種のインターホンシステムとして、設備機器、家電機器、各種センサの仕様情報を持ち、これらの仕様情報に基づいて設備機器や家電機器等の各種機器の稼働状況情報や各種センサからの検知情報を収集するとともに、これら設備機器、家電機器、各種センサを制御する機能を備えたマネジメントシステムが開示されている（例えば、特許文献１を参照）。
【０００３】
このシステムを構成する監視制御ユニットによれば、住戸内には各種照明器具、空調設備、テレビなどの機器に設けた端末部と、この端末部をローカルバスを介して時分割多重伝送によりアクセスすることで、端末部に対応する各種機器を制御する制御情報を渡したり、各種機器の稼働状況情報を端末部を介して受け取ることで制御監視を行うことができる。
【先行技術文献】
【特許文献】
【０００４】
【特許文献１】特開２００４−３１０３７７号公報
【発明の概要】
【発明が解決しようとする課題】
【０００５】
しかしながら、背景技術に記載の制御監視技術を適用して例えば、各種機器の稼働状況情報を端末部を介して受け取るにあたっては、監視対象の機器に設けた端末部にローカルバスを使用して有線接続する必要があるため、この情報を出力する該当回路が電気的な影響を受けることはその原理的に避けられない。したがって、各種機器の稼働状況情報を常に監視する、若しくは情報の出力先を動的に接続又は切断しながら必要に応じて稼働状況を監視するという運用は、その精度において信頼性に劣る難点があった。
【０００６】
本発明は、これらの難点を解消するためになされたもので、インターホン機器との間で非接触による通信を行い必要な情報の送受信が可能な外部通信機器を適用し、その送受信の動作に電気的なアイソレーションを持たせて当該動作の精度を高めたインターホンシステムを提供することを目的としている。
【課題を解決するための手段】
【０００７】
前述の目的を達成するため、本発明の第１の態様であるインターホンシステムは、来訪者が在室者を呼出して通話を行うインターホン子機と、インターホン子機からの呼出しに在室者が応答して来訪者との間で通話を行うインターホン親機とを有する当該システムである。インターホン子機は、当該子機又はインターホン親機の稼動状況データ等の制御データを生成する子機制御部と、夜間照明や警報表示等の照明機能と子機制御部で生成された制御データを非接触で外部通信機器に送信する発光機能を有する子機発光部とを備えている。外部通信機器は、インターホン子機の子機発光部から送信された制御データを受信する受光機能を有する機器受光部を備えている。
【０００８】
この態様のインターホンシステムにおいて、子機発光部が有する発光機能により外部通信機器で受光機能を有する機器受光部との間で非接触による通信を行い、その通信に電気的なアイソレーションを持たせることができるインターホン子機によれば、子機制御部で生成される当該子機又はインターホン親機の稼動状況データ等の制御データを子機発光部から送信して機器受光部で受信させることができるため、データの送受信動作を行う際の精度が高められる。
【０００９】
また、本発明の第２の態様であるインターホンシステムは、来訪者が在室者を呼出して通話を行うインターホン子機と、インターホン子機からの呼出しに在室者が応答して来訪者との間で通話を行うインターホン親機と、インターホン子機との間で通信が可能な外部通信機器とを有する当該システムである。外部通信機器は、インターホン子機用又はインターホン親機用の制御データを非接触でインターホン子機に送信する発光機能を有する機器発光部を備えている。インターホン子機は、来訪者の映像を撮像する撮像機能とともに形成され外部通信機器の機器発光部から送信された制御データを受信する受光機能を有する子機受光部を備えている。
【００１０】
この態様のインターホンシステムにおいて、機器発光部が有する発光機能によりインターホン子機で受光機能を有する子機受光部との間で非接触による通信を行い、その通信に電気的なアイソレーションを持たせることができる外部通信機器によれば、当該子機用又はインターホン親機用の制御データを機器発光部から送信して子機受光部で受信させることができるため、データの送受信動作を行う際の精度が高められる。
【００１１】
また、本発明の第３の態様であるインターホンシステムは、本発明の第２の態様において、インターホン子機は、子機受光部で制御データが受信されたことを示す確認データを生成する子機制御部と、夜間照明や警報表示等の照明機能と子機制御部で生成された確認データを非接触で外部通信機器に送信する発光機能を有する子機発光部とを備えている。外部通信機器は、インターホン子機の子機発光部から送信された確認データを受信する受光機能を有する機器受光部を備えている。
【００１２】
この態様のインターホンシステムによれば、子機発光部が有する発光機能により外部通信機器の機器受光部との間で非接触による通信を行い、その通信に電気的なアイソレーションを持たせることができるインターホン子機によれば、子機制御部で生成される、制御データが受信されたことを示す確認データを子機発光部から送信して機器受光部で受信させることができるため、データの送受信動作を行う際の精度が高められる。
【発明の効果】
【００１３】
本発明のインターホンシステムによれば、インターホン子機との間で非接触による通信を行い、その通信に電気的なアイソレーションを持たせることができる外部通信機器を備えることにより、インターホン子機と外部通信機器との間で各種データの送受信を行う際の精度が高められる。
【図面の簡単な説明】
【００１４】
【図１】本発明の第１の実施例によるインターホンシステムの具体的な構成を示すブロック図。
【図２】本発明の第２の実施例によるインターホンシステムの具体的な構成を示すブロック図。
【発明を実施するための形態】
【００１５】
以下、本発明のインターホンシステムを適用した実施の形態例について、図面を参照して説明する。
【００１６】
図１は、本発明の第１の実施例によるインターホンシステムの具体的な構成を示すブロック図である。このインターホンシステムは、住戸玄関等の住戸外に設置され来訪者が住戸内の在室者を呼出して通話を行うインターホン子機（以下、第１のインターホン子機という）１ａと、住戸内に設置され子機／親機ラインＬを経由して接続される、第１のインターホン子機１ａを使用した来訪者からの呼出しに在室者が応答して通話を行うインターホン親機（以下、第１のインターホン親機という）２ａと、第１のインターホン子機１ａとの間で通信、例えば、非接触によるデータ通信が可能であって当該システムについて保守や点検等を行うシステム管理者により携行される例えば、スマートフォン、ＰＤＡ等の外部通信機器（以下、第１の外部通信機器という）３ａとを有している。なお、子機／親機ラインＬとしては、図示のような有線接続による伝送路の形態に限定されるものではなく、例えば、不図示の無線接続による伝送路の形態を適用することもできる。
【００１７】
同図に示す第１のインターホン子機１ａには、子機操作部１０、映像撮像部（以下、第１の映像撮像部という）１１ａ、子機映像処理部（以下、第１の子機映像処理部という）１２ａ、子機マイク１３、子機スピーカ１４、子機音声処理部１５、子機発光部１６、子機制御部（以下、第１の子機制御部という）１７ａ及び子機Ｉ／Ｆ（インターフェース、以下、第１の子機Ｉ／Ｆという）１８ａが備えられている。
【００１８】
このインターホン子機１ａにおいて、子機操作部１０は、来訪者（以下、システム管理者を含む）が在室者を呼出すために所定の操作（呼出操作）を行うものであって例えば、呼出（押圧）ボタンで構成されている。また、第１の映像撮像部１１ａは、来訪者の映像や住戸外における所定エリア内の映像を撮像して映像信号を生成するものであって例えば、ＣＣＤ、ＣＭＯＳ等の各種の映像撮像媒体で構成されている。さらに、第１の子機映像処理部１２ａは、第１の映像撮像部１１ａで生成される映像信号について例えば、Ａ／Ｄ変換、ＦＭ変調、信号増幅等の所定の信号処理を行うものである。なお、第１の映像撮像部１１ａ及び第１の子機映像処理部１２ａによれば、不図示の人体感知センサ等が有する人体感知機能に連動させて、第１のインターホン子機１ａの周囲近傍に人体の存在が感知されたときや、後述する在室者によるモニタ監視操作に連動させて、その動作を能動とすることもできる。
【００１９】
子機マイク１３及び子機スピーカ１４は、来訪者が在室者との間で通話を行うために音声（送話音声、受話音声）を入出力するものである。また、子機音声処理部１５は、子機マイク１３及び子機スピーカ１４で入出力される音声（音声信号）について例えば、ＦＭ変調又は復調、信号増幅等の所定の信号処理を行うものである。なお、子機マイク１３及び子機音声処理部１５によれば、後述する在室者によるモニタ監視操作に連動させて、その動作を能動とすることもでき、子機スピーカ１４によれば、当該システムの異常時における警報発報機能を備えることもできる。
【００２０】
第１の子機制御部１７ａは、第１のインターホン子機１ａの構成各部を動作制御するとともに自子機１ａ又は第１のインターホン親機２ａの稼働状況等の制御データを例えば、通信コマンドや符号化データ等の所定のフォーマットで生成するものである。また、子機発光部１６は、夜間時等で明るさが不足している場合の夜間照明や当該システムの異常時における警報表示等の照明機能と、第１の子機制御部１７ａで生成される制御データを非接触で第１の外部通信機器３ａに送信する発光機能とを有しており、この発光機能によれば、光出力等のアイソレーション送信機能としての例えば、フォトカプラを構成する白色光等の発光素子（発光ダイオード）が好適とされる。さらに、第１の子機Ｉ／Ｆ１８ａは、第１の子機映像処理部１２ａから子機／親機ラインＬへの信号伝送路、子機音声処理部１５及び子機／親機ラインＬ間の信号伝送路、第１の子機制御部１７ａ及び子機／親機ラインＬ間の信号伝送路をそれぞれ形成し、形成された信号伝送路を経由して各種信号の送受信を行うものである。
【００２１】
次に、同図に示す第１のインターホン親機２ａには、親機操作部２０、表示部２１、親機映像処理部（以下、第１の親機映像処理部という）２２ａ、親機マイク２３、親機スピーカ２４、親機音声処理部２５、親機制御部（以下、第１の親機制御部という）２６ａ及び親機Ｉ／Ｆ（以下、第１の親機Ｉ／Ｆという）２７ａが備えられている。
【００２２】
このインターホン親機２ａにおいて、親機操作部２０は、第１のインターホン子機１ａを使用した来訪者からの呼出しに在室者が応答して親機マイク２３及び親機スピーカ２４の使用による通話を開始させる応答操作やその通話を終了させる終話操作が行われるものであって例えば、通話（押圧）ボタンや表示部２１の前面に配置されるタッチパネル等で構成されている。なお、親機操作部２０としては前述の操作機能の他に、前述のモニタ監視を能動とするための操作機能を備えることもできる。
【００２３】
表示部２１は、第１のインターホン子機１ａの第１の映像撮像部１１ａで撮像された映像を表示するものであって例えば、ＬＣＤ、有機ＥＬディスプレイ等の各種の表示媒体で構成されている。また、第１の親機映像処理部２２ａは、第１のインターホン子機１ａから子機／親機ラインＬを経由して伝送されてくる映像信号について例えば、ＦＭ復調、Ｄ／Ａ変換、信号増幅等の所定の信号処理を行うものである。なお、表示部２１は、前述のような映像表示のみならず来訪者からの呼出しがあることを示す例えば、文字メッセージや絵データ等を表示することもでき、さらに、表示部２１及び第１の親機映像処理部２２ａによれば、第１のインターホン子機１ａにおいて不図示の人体感知センサ等が有する人体感知機能に連動させて、又は当該子機１ａの周囲近傍に人体の存在が感知されたときやモニタ監視のときに、その動作を能動とすることもでき、この表示部２１によれば、当該システムの異常時における警報表示機能を備えることもできる。
【００２４】
親機マイク２３及び親機スピーカ２４は、在室者が来訪者との間で通話を行うために音声（送話音声、受話音声）を入出力するにあたって、この親機スピーカ２４は、来訪者からの呼出しがあることを示す例えば、呼出音や音声メッセー等を出力することもできる。なお、親機スピーカ２４及び親機音声処理部２４によれば、在室者による親機操作部２０のモニタ監視操作に連動させて、その動作を能動とすることもでき、この親機スピーカ２４によれば、当該システムの異常時における警報発報機能を備えることもできる。
【００２５】
第１の親機制御部２６ａは、第１のインターホン親機２ａの構成各部を動作制御するにあたって例えば、親機操作部２０の使用による在室者の応答操作又は終話操作、モニタ監視操作の検出、第１のインターホン子機１ａの子機操作部１０を使用した来訪者からの呼出しを検出してその報知を行う制御等を行う各種機能を備えている。また、第１の親機Ｉ／Ｆ２７ａは、子機／親機ラインＬから第１の親機映像処理部２２ａへの信号伝送路、親機音声処理部２５及び子機／親機ラインＬ間の信号伝送路、第１の親機制御部２６ａ及び子機／親機ラインＬ間の信号伝送路をそれぞれ形成し、形成された信号伝送路を経由して各種信号の送受信を行うものである。
【００２６】
次に、同図に示す第１の外部通信機器３ａには、機器受光部３０及び機器制御部（以下、第１の機器制御部という）３１ａが備えられている。この外部通信機器３ａにおいて、機器受光部３０は、第１のインターホン子機１ａの子機発光部１６から送信される制御データを非接触で受信する受光機能を有しており、この受光機能によれば、光入力等のアイソレーション受信機能としての例えば、フォトカプラを構成する受光素子（受光トランジスタ）が好適とされる。また、第１の機器制御部３１ａは、第１の外部通信機器３ａの構成各部を動作制御するものであって例えば、機器受光部３０で受信される制御データを管理することができる。
【００２７】
このように構成された本発明の第１の実施例によるインターホンシステムにおいて、以下、具体的な動作について説明する。
【００２８】
住戸外に居る来訪者として例えば、当該システムを保守・点検するシステム管理者が、第１のインターホン子機１ａ又は第２のインターホン親機２ａの稼働状況等の制御データを入手して管理するにあたり、このシステム管理者が、第１のインターホン子機１ａの子機操作部１０を使用して呼出操作を行うと、第１の子機制御部１７ａで呼出信号が生成される。また、第１の子機制御部１７ａで生成された呼出信号は、第１の子機Ｉ／Ｆ１８ａ、子機／親機ラインＬ、第１のインターホン親機２ａの第１の親機Ｉ／Ｆ２７ａを経由して第１の親機制御部２６ａに伝送される。
【００２９】
第１のインターホン親機２ａの第１の親機制御部２６ａは、受信した呼出信号をもとに来訪者（システム管理者）からの呼出しがあることを検出し、その旨の呼出報知を表示部２１及び親機スピーカ２４を使用して行うとともに第１の親機映像処理部２２ａが能動となるように制御し、さらには、前述の呼出信号と逆の信号伝送路を経由して呼出確認信号を送信することで、この信号を受信した第１の子機制御部１７ａによれば、第１の映像撮像部１１ａ及び第１の子機映像処理部１２ａを能動とすることができる。
【００３０】
ここで、第１のインターホン子機１ａの第１の映像撮像部１１ａで生成されるシステム管理者の映像を示す映像信号は、第１の子機映像処理部１２ａ、第１の子機Ｉ／Ｆ１８ａ、子機／親機ラインＬ、第１のインターホン親機２ａの第１の親機Ｉ／Ｆ２７ａ、第１の親機映像処理部２２ａを経由して所定の信号処理がなされた後、表示部２１に伝送されることにより、呼出元であるシステム管理者の映像が表示部２１に出画され、この映像を確認した在室者によれば、親機操作部２０を使用して応答操作を行う。この操作を検出した第１の親機制御部２６ａによれば、親機音声処理部２５が能動となるように制御し、親機マイク２３及び親機スピーカ２４と当該音声処理部２５、第１の親機Ｉ／Ｆ２７ａを経由して子機／親機ラインＬとの間の信号伝送路（以下、親機音声通話路という）を形成するとともに、呼出応答信号をする。また、第１の親機制御部２６ａで生成された呼出応答信号は、前述の呼出信号と逆の信号伝送路を経由して第１のインターホン子機１ａの第１の子機制御部１７ａに伝送され、この信号を受信した第１の子機制御部１７ａによれば、子機音声処理部１５が能動となるように制御し、子機マイク１３及び親機スピーカ１４と当該音声処理部１５、第１の子機Ｉ／１８ａを経由して子機／親機ラインＬとの間の信号伝送路（以下、子機音声通話路という）を形成することができ、形成された子機音声通話路及び親機音声通話路を経由して音声信号を送受信することで、システム管理者と在室者との間の通話が成立し、在室者にとっては表示部２１に出画中のシステム管理者の映像を確認しながらの通話が可能となる。
【００３１】
次に、通常、前述のような通話が成立中に当該システムを保守・点検することをシステム管理者が在室者に連絡済みのタイミング、又は別途の連絡手段、例えば、電話やメール等で同様な連絡が事前に行われているタイミングで、このシステム管理者が、第１のインターホン子機１ａ又は第１のインターホン親機１ｂの稼働状況データ等の制御データを入手して管理するにあたっては、自身が携行している第１の外部通信機器３ａを第１のインターホン子機１ａに近付ける（近接させる）ことにより、電気的なアイソレーションを持たせた状態で子機発光部１６から機器受光部３０への非接触による通信が可能となる。
【００３２】
ここで、第１のインターホン子機１ａの第１の子機制御部１７ａによれば、定期的に監視している自子機１ａ又は第１のインターホン親機１ｂの稼働状況データ等の制御データを生成し、子機発光部１６から第１の外部通信機器３０の機器受光部３０に非接触で送信することにより、第１の機器制御部３１ａは、機器受光部３０を経由して受信した制御データを管理することができ、必要に応じて不図示の報知手段を使用してシステム管理者に確認させることもできる。また、第１の機器制御部３１ａで管理される制御データについては、自機器３ａに備えられ取り出し可能なメモリを使用して記憶させることもできる。
【００３３】
前述までの説明から明らかなように、本発明の第１の実施例において、子機発光部１６が有する発光機能により第１の外部通信機器３ａで受光機能を有する機器受光部３０との間で非接触による通信を行い、その通信に電気的なアイソレーションを持たせることができる第１のインターホン子機１ａによれば、第１の子機制御部１７ａで生成される当該子機（自子機１ａ）又は第２のインターホン親機２ａの稼動状況データ等の制御データを子機発光部１６から送信して機器受光部３０で受信させることができるため、データの送受信動作を行う際の精度が高められる。
【００３４】
次に、本発明の第２の実施例によるインターホンシステムについて、図２のブロック図を参照して説明する。このインターホンシステムは、住戸玄関等の住戸外に設置され来訪者が住戸内の在室者を呼出して通話を行うインターホン子機（以下、第２のインターホン子機という）１ｂと、住戸内に設置され第２のインターホン子機１ｂを使用した来訪者からの呼出しに在室者が応答して通話を行うインターホン親機（以下、第２のインターホン親機という）２ｂと、第２のインターホン子機１ｂとの間で通信、例えば、非接触による通信が可能であって当該システムについて保守や点検等を行うシステム管理者により携行される例えば、スマートフォン、ＰＤＡ等の外部通信機器（以下、第２の外部通信機器という）３ｂとを有している。
【００３５】
なお、第２のインターホン子機１ｂ、第２のインターホン親機２ｂ及び第２の外部通信機器３ｂにおいて以下、その具体的な構成を説明するにあたり、前述の第１のインターホン子機１ａ、第１のインターホン親機２ａ及び第１の外部通信機器３ａの構成部と同一の作用を有する該当部についての説明は省略するものとする。
【００３６】
同図に示す第２の外部通信機器３ｂには、機器受光部３０、機器制御部（以下、第２の機器制御部という）３１ｂ及び機器発光部３２が備えられている。この外部通信機器３ｂにおいて、機器発光部３２は、例えば、第２の機器制御部３１ｂで例えば、通信コマンドや符号化データ等の所定のフォーマットで生成される、第２のインターホン子機１ｂ又は第２のインターホン親機２ｂ用の制御データ、例えば、各機器のフォーム更新にかかる制御データを非接触で送信する発光機能を有しており、この発光機能によれば、光出力等のアイソレーション送信機能としての例えば、フォトカプラを構成する白色光等の発光素子（発光ダイオード）が好適とされる。また、機器受光部３０は、第２のインターホン子機１ｂの後述する映像撮像部１１ｂに備えられる子機発光部１１０から送信される確認データを非接触で受信する受光機能を有しており、この受光機能によれば、光入力等のアイソレーション受信機能としての例えば、フォトカプラを構成する受光素子（受光トランジスタ）が好適とされる。さらに、第２の機器制御部３１ｂは、第２の外部通信機器３ｂの構成各部を動作制御するものであって、前述のような制御データを生成・管理することができるばかりでなく、機器受光部３０で受信される確認データを管理するものである。なお、また、第２の機器制御部３１ｂで生成される制御データについては、自機器３ｂに備えられ取り出し可能なメモリを使用して予め記憶させておき、この機器制御部３１ｂにより読み出して使用することもできる。
【００３７】
次に、同図に示す第２のインターホン子機１ｂには、子機操作部１０、映像撮像部（以下、第２の映像撮像部という）１１ｂ、子機映像処理部（以下、第２の子機映像処理部という）１２ｂ、子機マイク１３、子機スピーカ１４、子機音声処理部１５、子機発光部１６、子機制御部（以下、第２の子機制御部という）１７ｂ及び子機Ｉ／Ｆ（以下、第２の子機Ｉ／Ｆという）１８ｂが備えられている。
【００３８】
このインターホン子機１ｂにおいて、第２の映像撮像部１１ｂは、例えば、ＣＣＤ、ＣＭＯＳ等の各種の映像撮像媒体で構成され、来訪者の映像や住戸外における所定エリア内の映像を撮像して映像信号を生成する撮像機能とともに形成されて第２の外部通信機器３ｂの機器発光部３２から送信されてくる制御データを非接触で受信する受光機能を有する子機受光部１１０を備えており、この受光機能によれば、光出力等のアイソレーション受信機能としての例えば、フォトカプラを構成する受光素子（受光トランジスタ）が好適とされる。また、第２の子機映像処理部１２ｂは、第２の映像撮像部１１ｂで生成される映像信号について例えば、Ａ／Ｄ変換、ＦＭ変調、信号増幅等の信号処理を行うものである。なお、第２の映像処理部１２ｂによれば、第２の映像撮像部１１ｂの子機受光部１１０で受信された制御データを含む映像信号を生成することもできる。
【００３９】
第２の子機制御部１７ｂは、第２のインターホン子機１ｂの構成各部を動作制御するとともに、第２の映像撮像部１１ｂの子機受光部１１０で制御データが受信されたことを示す確認データを生成するものである。また、子機発光部１６は、夜間時等で明るさが不足している場合の夜間照明や当該システムの異常時における警報表示等の照明機能と、前述の実施例で適用された制御データに代えて第２の子機制御部１７ｂで生成される確認データを非接触で第２の外部通信機器３ｂに送信する発光機能とを有しており、この発光機能によれば、光出力等のアイソレーション送信機能としての例えば、フォトカプラを構成する白色光等の発光素子（発光ダイオード）が好適とされる。さらに、第２の子機Ｉ／Ｆ１８ｂは、第２の子機映像処理部１２ｂから子機／親機ラインＬへの信号伝送路、子機音声処理部１５及び子機／親機ラインＬ間の信号伝送路、第２の子機制御部１７ｂ及び子機／親機ラインＬ間の信号伝送路をそれぞれ形成し、形成された信号伝送路を経由して各種信号の送受信を行うものである。
【００４０】
次に、同図に示す第２のインターホン親機２ｂは、親機操作部２０、表示部２１、親機映像処理部（以下、第２の親機映像処理部という）２２ｂ、親機マイク２３、親機スピーカ２４、親機音声処理部２５、親機制御部（以下、第２の親機制御部という）２６ｂ及び親機Ｉ／Ｆ（以下、第２の親機Ｉ／Ｆという）２７ｂが備えられている。
【００４１】
このインターホン親機２ｂにおいて、第２の親機映像処理部２２ｂは、第２のインターホン子機１ｂから子機／親機ラインＬを経由して伝送されてくる映像信号について例えば、ＦＭ復調、Ｄ／Ａ変換、信号増幅等の所定の信号処理を行うばかりでなく、その映像信号に含まれている制御データを第２の親機制御部２６ｂに送出することができる。
【００４２】
第２の親機制御部２６ｂは、第２のインターホン親機２ｂの構成各部を動作制御するにあたって例えば、親機操作部２０を使用した在室者の応答操作又は終話操作、モニタ監視操作の検出、第２のインターホン子機１ｂの子機操作部１０を使用した来訪者（システム管理者）からの呼出しを検出してその報知を行う制御等を行う各種機能を備えているばかりでなく、第２の親機映像処理部２２ｂを経由して制御データが受信されたことを示す確認データを生成することができる。また、第２の親機Ｉ／Ｆ２７ｂは、子機／親機ラインＬから第２の親機映像処理部２２ｂへの信号伝送路、親機音声処理部２５及び子機／親機ラインＬ間の信号伝送路、第２の親機制御部２６ｂ及び子機／親機ラインＬ間の信号伝送路をそれぞれ形成し、形成された信号伝送路を経由して各種信号の送受信を行うものである。
【００４３】
このように構成された本発明の第２の実施例によるインターホンシステムにおいて、以下、具体的な動作について説明する。なお、住戸外に居る人物として例えば、当該システムを保守・点検する管理者が在室者を呼出して通話を行うまでの動作は、前述の第１の実施例における該当動作と同一であるため、その説明は省略するものとする。
【００４４】
通常、前述の第１の実施例と同様な通話が成立中に当該システムを保守・点検することをシステム管理者が在室者に連絡済みのタイミング、又は別途の連絡手段、例えば、電話やメール等で同様な連絡が事前に行われているタイミングで、このシステム管理者が、第２のインターホン子機１ｂ用又は第２のインターホン親機２ｂ用の制御データ、例えば、各機器のフォーム更新にかかる制御データを当該子機１ｂへ送信するにあたっては、自身が携行している第２の外部通信機器３ｂを第２のインターホン子機１ｂに近付ける（近接させる）ことにより、電気的なアイソレーションを持たせた状態で機器発光部３２から第２の映像撮像部１１ｂの子機受光部１１０への非接触な通信と、子機発光部１６から機器受光部３０への非接触な通信が、それぞれ可能となる。
【００４５】
ここで、第２の外部通信機器３ｂの第２の子機制御部３１ｂによれば、第２のインターホン子機１ｂ用又は第２のインターホン親機２ｂ用の制御データを生成し、機器発光部３２から第２のインターホン子機１ｂを構成する第２の映像撮像部１１ｂの子機受光部１１０に非接触で送信する。
【００４６】
次に、第２のインターホン子機１ｂの第２の映像撮像部１１ｂによれば、第１の動作として、子機受光部１１０で受光・受信された制御データを第２の子機制御部１７ｂに送出することにより、この第２の子機制御部１７ｂは、受信した制御データが自子機１ｂにかかる例えば、フォーム更新にかかる制御データであれば、その旨のフォーム更新を実行することができ、受信した制御データが第２のインターホン親機２ｂにかかる例えば、フォーム更新にかかる制御データであれば、その制御データを、第２の子機Ｉ／Ｆ１８ｂ、子機／親機ラインＬ、第２の親機Ｉ／Ｆ２７ｂを経由して第２の親機制御部２６ｂに送出することで、その旨のフォーム更新を当該親機制御部２６ｂが実行することができる。
【００４７】
また、第２のインターホン子機１ｂの第２の映像撮像部１１ｂによれば、第２の動作として、子機受光部１１０で受光・受信された制御データを第２の子機制御部１７ｂに送出するばかりでなく、制御データを含む映像信号を生成し、第２の子機映像処理部１２ｂ、第２の子機Ｉ／Ｆ１８ｂ、子機／親機ラインＬ、第２のインターホン親機２ｂの第２の親機Ｉ／Ｆ２７ｂを経由して第２の親機映像処理部２２ｂに送出し、この親機映像処理部２２ｂは、受信した映像信号に含まれている制御データを第２の親機制御部２６ｂに送出することができる。ここで、第２の親機制御部２６ｂは、受信した制御データをもとにフォーム更新を実行することができる。
【００４８】
さらに、第２のインターホン子機１ｂの第２の子機制御部１７ｂによれば、前述のように第２の映像撮像部１１ｂの子機受光部１１０を経由して制御データが受信されたことを示す確認データを生成し、子機発光部１６から第２の外部通信機器３ｂの機器受光部３０に非接触で送信することにより、第２の機器制御部３１ｂは、機器受光部３０を経由して受信した確認データをもとに自機器３ｂから送信した制御データが第１のインターホン子機１ｂで正常に受信されたことを検出でき、必要に応じて不図示の報知手段を利用してシステム管理者に確認させることもできる。
【００４９】
前述までの説明から明らかなように、本発明の第２の実施例において、機器発光部３２が有する発光機能により第２のインターホン子機１ｂで受光機能を有する、（第２の映像撮像部１１ｂに備えられる）子機受光部１１０との間で非接触による通信を行い、その通信に電気的なアイソレーションを持たせることができる第２の外部通信機器３ｂによれば、当該子機用又は第２のインターホン親機２ｂ用の制御データを機器発光部３２から送信して子機受光部１１０で受信させることができるため、データの送受信動作を行う際の精度が高められる。
【００５０】
また、本発明の第２の実施例において、子機発光部１６が有する発光機能により第２の外部通信機器３ｂの機器受光部３０との間で非接触による通信を行い、その通信に電気的なアイソレーションを持たせることができる第２のインターホン子機１ｂによれば、第２の子機制御部１７ｂで生成される、制御データが受信されたことを示す確認データを子機発光部１６から送信して機器受光部３０で受信させることができるため、データの送受信動作を行う際の精度が高められる。
【００５１】
本発明のインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００５２】
具体的に、本発明の第２の実施例によれば、第２の外部通信機器３ｂの機器発光部３２から送信された制御データを受信する受光機能を有する子機受光部１１０を第２の映像撮像部１１ｂに備える態様を適用したが、この態様に限定されるものではない。例えば、機器発光部３２を第２の映像撮像部１１ｂと別体で第２のインターホン子機１ｂに備え、第２の子機制御部１７ｂにより制御される態様も好適とされる。
【符号の説明】
【００５３】
１ａ・・・第１のインターホン子機（インターホン子機）
１６・・・子機発光部
１７ａ・・・第１の子機制御部（子機制御部）
２ａ・・・第１のインターホン親機（インターホン親機）
３ａ・・・第１の外部通信機器（外部通信機器）
３０・・・機器受光部
１ｂ・・・第２のインターホン子機（インターホン子機）
１６・・・子機発光部
１７ｂ・・・第２の子機制御部（子機制御部）
１１０・・・子機受光部
２ｂ・・・第２のインターホン親機（インターホン親機）
３ｂ・・・第２の外部通信機器（外部通信機器）
３０・・・機器受光部
３２・・・機器発光部
【図１】
2015126317.tif 000003
【図２】
2015126317.tif 000004